(57)【要約】【課題】角度調節操作部により送塵弁の角度を容易に調節することができる普通型コンバインを提供することを目的とする。【解決手段】脱穀部６の前方にキャビン９が備えられた普通型コンバインであって、脱穀部６は、角度調節可能な送塵弁１３と、脱穀部６の前部に設けられて送塵弁１３の角度を調節するための角度調節操作部６０と、を備え、キャビン９の後壁９０には、開口部９１が形成され、キャビン９内から開口部９１を介して角度調節操作部６０を操作可能に構成されている。【選択図】図２
2013183654.tif 000002
【特許請求の範囲】
【請求項１】
脱穀部の前方にキャビンが備えられた普通型コンバインであって、
前記脱穀部は、
角度調節可能な送塵弁と、
前記脱穀部の前部に設けられて前記送塵弁の角度を調節するための角度調節操作部と、を備え、
前記キャビンの後壁には、開口部が形成され、
前記キャビン内から前記開口部を介して前記角度調節操作部を操作可能に構成されている普通型コンバイン。
【請求項２】
前記脱穀部の上方にグレンタンクを備え、
前記角度調節操作部は、前記グレンタンクの下方に配置されている請求項１に記載の普通型コンバイン。
【請求項３】
前記脱穀部は、機体左右方向において左右一方寄りに配置され、
前記開口部は、機体左右方向において前記脱穀部寄りの位置に形成されている請求項１又は請求項２に記載の普通型コンバイン。
【請求項４】
前記開口部は、前記角度調節操作部と対向する位置に形成されている請求項１から請求項３までのいずれか一項に記載の普通型コンバイン。
【請求項５】
前記角度調節操作部は、機体左右方向に操作されるように構成され、
前記開口部は、機体左右方向が長手方向となる形状に形成されている請求項１から請求項４までのいずれか一項に記載の普通型コンバイン。
【請求項６】
前記開口部は、正面視において前記キャビンに備えられた運転席の横側の位置に形成されている請求項１から請求項５までのいずれか一項に記載の普通型コンバイン。
【請求項７】
前記開口部に蓋をする開閉自在な蓋部材を備える請求項１から請求項６までのいずれか一項に記載の普通型コンバイン。
【請求項８】
前記角度調節操作部は、機体左右方向において左右一方寄りに配置されている請求項１から請求項７までのいずれか一項に記載の普通型コンバイン。
【請求項９】
前記角度調節操作部は、操作レバーを備え、
前記操作レバーは、前記脱穀部と前記キャビンとの間に配置されている請求項１から請求項８までのいずれか一項に記載の普通型コンバイン。
【請求項１０】
前記角度調節操作部は、
角度調節部材と、
前記角度調節部材を係止する係止部と、を備えている請求項１から請求項９までのいずれか一項に記載の普通型コンバイン。
【請求項１１】
前記角度調節操作部は、操作レバーを備え、
前記角度調節部材は、前記操作レバーに連結されている請求項１０に記載の普通型コンバイン。
【請求項１２】
前記係止部には、上方に突出する複数の凸部が設けられ、
前記角度調節部材には、前記凸部と係合する係合開口部が形成され、
前記角度調節部材は、前記係合開口部が前記凸部と係合することによって前記係止部に係止されるように構成されている請求項１０又は請求項１１に記載の普通型コンバイン。
【請求項１３】
前記角度調節操作部は、前記脱穀部の天井部における頂上面に設けられ、
前記角度調節操作部は、正面視において前記脱穀部の天井部における頂上面より機体左右方向に突出するように設けられている請求項１から請求項１２までのいずれか一項に記載の普通型コンバイン。
【発明の詳細な説明】
【技術分野】
【０００１】
本発明は、普通型コンバインに関する。より詳細には、脱穀部の前方にキャビンが備えられた普通型コンバインであって、脱穀部は、角度調節可能な送塵弁と、送塵弁の角度を調節するための角度調節操作部と、を備える普通型コンバインに関する。
【背景技術】
【０００２】
例えば、特許文献１に記載の普通型コンバインでは、脱穀部の前方にキャビン（運転操作部）が備えられている。脱穀部は、角度調節可能な第１及び第２送塵弁と、第１及び第２送塵弁の角度を調節するための角度調節操作部（入口側弁角度調節レバー及び出口側弁角度調節レバー）と、を備えている。
【先行技術文献】
【特許文献】
【０００３】
【特許文献１】特開２０００−３７１３４号公報
【発明の概要】
【発明が解決しようとする課題】
【０００４】
しかしながら、特許文献１に記載の普通型コンバインでは、運転操作部内から入口側弁角度調節レバー及び出口側弁角度調節レバーを操作可能に構成されていない。このため、入口側弁角度調節レバー及び出口側弁角度調節レバーの操作のために、作業者が運転操作部から降りる必要がある。したがって、入口側弁角度調節レバー及び出口側弁角度調節レバーにより第１及び第２送塵弁の角度を容易に調節する点で改善の余地があった。
【０００５】
本発明は以上の如き状況に鑑みてなされたものであり、角度調節操作部により送塵弁の角度を容易に調節することができる普通型コンバインを提供することを目的とする。
【課題を解決するための手段】
【０００６】
本発明に係る普通型コンバインの特徴構成は、脱穀部の前方にキャビンが備えられた普通型コンバインであって、前記脱穀部は、角度調節可能な送塵弁と、前記脱穀部の前部に設けられて前記送塵弁の角度を調節するための角度調節操作部と、を備え、前記キャビンの後壁には、開口部が形成され、前記キャビン内から前記開口部を介して前記角度調節操作部を操作可能に構成されている、ことにある。
【０００７】
本特徴構成によると、作業者がキャビン内に居たままで開口部から角度調節操作部を操作可能である。これにより、角度調節操作部の操作のために、作業者がキャビンから降りる必要がない。したがって、角度調節操作部により送塵弁の角度を容易に調節することができる。
【０００８】
本発明に係る普通型コンバインの更なる特徴構成、前記脱穀部の上方にグレンタンクを備え、前記角度調節操作部は、前記グレンタンクの下方に配置されている、ことにある。
【０００９】
本特徴構成によると、グレンタンク下方の空間を有効活用して、角度調節操作部をコンパクトに配置することができる。
【００１０】
本発明に係る普通型コンバインの更なる特徴構成は、前記脱穀部は、機体左右方向において左右一方寄りに配置され、前記開口部は、機体左右方向において前記脱穀部寄りの位置に形成されている、ことにある。
【００１１】
本特徴構成によると、開口部が脱穀部の近傍に位置する。これにより、脱穀部に備えられた角度調節操作部と開口部が近接する。したがって、角度調節操作部により送塵弁の角度を容易に調節することができる。
【００１２】
本発明に係る普通型コンバインの更なる特徴構成は、前記開口部は、前記角度調節操作部と対向する位置に形成されている、ことにある。
【００１３】
本特徴構成によると、開口部が角度調節操作部の近傍に位置する。これにより、開口部が角度調節操作部と近接する。したがって、角度調節操作部により送塵弁の角度を容易に調節することができる。
【００１４】
本発明に係る普通型コンバインの更なる特徴構成は、前記角度調節操作部は、機体左右方向に操作されるように構成され、前記開口部は、機体左右方向が長手方向となる形状に形成されている、ことにある。
【００１５】
本特徴構成によると、角度調節操作部の操作方向と開口部の長手方向とが一致する。これにより、角度調節操作部を開口部の長手方向に沿って円滑に操作可能となる。したがって、角度調節操作部により送塵弁の角度を容易に調節することができる。
【００１６】
本発明に係る普通型コンバインの更なる特徴構成は、前記開口部は、正面視において前記キャビンに備えられた運転席の横側の位置に形成されている、ことにある。
【００１７】
本特徴構成によると、開口部が運転席の近傍に位置する。これにより、作業者が運転席に居たままで開口部から角度調節操作部を操作可能である。したがって、角度調節操作部により送塵弁の角度を容易に調節することができる。
【００１８】
本発明に係る普通型コンバインの更なる特徴構成は、前記開口部に蓋をする開閉自在な蓋部材を備える、ことにある。
【００１９】
本特徴構成によると、蓋部材が閉じられることにより、開口部を介してのキャビン内と外部との連通が遮断される。したがって、必要に応じて、蓋部材を開けて開口部からキャビン内に外気を導入したり、蓋部材を閉じて開口部からキャビン内への外気の導入を制限したりすることができる。
【００２０】
本発明に係る普通型コンバインの更なる特徴構成は、前記角度調節操作部は、機体左右方向において左右一方寄りに配置されている、ことにある。
【００２１】
本特徴構成によると、角度調節操作部が機体の外方側に位置する。これにより、機体外方側から角度調節操作部に手が届き易い。したがって、作業状況に応じて機外からも、角度調節操作部により送塵弁の角度を容易に調節することができる。
【００２２】
本発明に係る普通型コンバインの更なる特徴構成は、前記角度調節操作部は、操作レバーを備え、前記操作レバーは、前記脱穀部と前記キャビンとの間に配置されている、ことにある。
【００２３】
本特徴構成によると、操作レバーが開口部の近傍に位置する。これにより、開口部から操作レバーに手が届き易い。したがって、角度調節操作部により送塵弁の角度を容易に調節することができる。
【００２４】
本発明に係る普通型コンバインの更なる特徴構成は、前記角度調節操作部は、角度調節部材と、前記角度調節部材を係止する係止部と、を備えている、ことにある。
【００２５】
本特徴構成によると、角度調節部材が係止部で係止される。したがって、角度調節部材を送塵弁の角度を調節した状態で保持することができる。
【００２６】
本発明に係る普通型コンバインの更なる特徴構成は、前記角度調節操作部は、操作レバーを備え、前記角度調節部材は、前記操作レバーに連結されている、ことにある。
【００２７】
本特徴構成によると、操作レバーで角度調節部材を操作可能である。したがって、角度調節操作部により送塵弁の角度を容易に調節することができる。
【００２８】
本発明に係る普通型コンバインの更なる特徴構成は、前記係止部には、上方に突出する複数の凸部が設けられ、前記角度調節部材には、前記凸部と係合する係合開口部が形成され、前記角度調節部材は、前記係合開口部が前記凸部と係合することによって前記係止部に係止されるように構成されている、ことにある。
【００２９】
本特徴構成によると、角度調節部材の係合開口部を係止部の凸部に係合させるだけで、角度調節部材が係止部に係止される。したがって、角度調節部材を送塵弁の角度を調節した状態で容易に保持することができる。
【００３０】
本発明に係る普通型コンバインの更なる特徴構成は、前記角度調節操作部は、前記脱穀部の天井部における頂上面に設けられ、前記角度調節操作部は、正面視において前記脱穀部の天井部における頂上面より機体左右方向に突出するように設けられている、ことにある。
【００３１】
本特徴構成によると、角度調節操作部の突出部分を介して、角度調節部材を操作可能である。したがって、角度調節操作部により送塵弁の角度を容易に調節することができる。
【図面の簡単な説明】
【００３２】
【図１】普通型コンバインを示す側面一部断面図。
【図２】普通型コンバインを示す平面一部断面図。
【図３】キャビンを示す正面図。
【図４】脱穀部及び選別部を示す側面断面図。
【図５】脱穀部を示す正面断面図。
【図６】キャビンの後壁に形成された開口部及び角度調節操作部を示す平面図。
【図７】角度調節操作部を示す平面図。
【図８】角度調節操作部を示す側面断面図。
【図９】角度調節操作部を示す分解斜視図。
【発明を実施するための形態】
【００３３】
以下、本発明を実施するための形態について図面に基づき説明する。
【００３４】
先ず、普通型コンバインの全体構成について、図１及び図２により説明する。
【００３５】
図１及び図２に示すように、普通型コンバインは、機体を走行させる右及び左の前輪１Ｆ並びに右及び左の後輪１Ｒを有する走行部１を備えている。走行部１の上部には、機体フレーム２が備えられている。機体フレーム２の前方には、穀稈を刈り取る刈取部３が備えられている。刈取部３の後側には、刈り取った穀稈を搬送するフィーダ４が備えられている。また、機体フレーム２上には、脱穀処理物を選別する選別部５が備えられている。選別部５の右方には、動力源となるエンジンＥが備えられている。選別部５の上側には、穀稈を脱穀する脱穀部６が備えられている。脱穀部６の上方には、選別後の穀粒を貯留するグレンタンク７が備えられている。脱穀部６の後側には、排藁等の脱穀処理物を切断して機外へ排出する切断部８が備えられている。脱穀部６の前方には、オペレータが搭乗するキャビン９が備えられている。キャビン９には、オペレータが着座する運転席１０、ステアリングハンドル９ａ及び図示しない操作ペダルや操作レバー９ｂ（図３参照）等の操作具類が備えられている。
【００３６】
次に、キャビン９について、図１から図３により説明する。
【００３７】
図１から図３に示すように、キャビン９内において、機体左右方向の略中央には、運転席１０が配置されている。運転席１０の右側には、操作レバー９ｂが配置されている。また、キャビン９の後壁９０には、開口部９１が形成されている。脱穀部６が機体左右方向において左方寄りに配置されているところ、開口部９１は、機体左右方向において脱穀部６寄り（左方寄り）の位置に形成されている。開口部９１は、正面視においてキャビン９に備えられた運転席１０の横側（左側）の位置に形成されている。開口部９１は、開閉自在な蓋部材９１ａで蓋をされている。また、開口部９１と操作レバー９ｂとは、運転席１０を挟んで機体左右方向に振り分けて配置されている。つまり、運転席１０を挟んで、左側に開口部９１が配置されているとともに、右側に操作レバー９ｂが配置されている。また、開口部９１は、詳しくは後述する角度調節操作部６０の操作レバー６３と対向する位置に形成されている。角度調節操作部６０が機体左右方向に操作されるように構成されているところ、開口部９１は、機体左右方向が長手方向となる形状に形成されている。開口部９１は、本実施形態では、正面視において機体左右方向が長手方向となる略矩形状に形成されている。
【００３８】
次に、脱穀部６及び選別部５について、図４から図６により説明する。
【００３９】
図４及び図５に示すように、脱穀部６は、扱胴１１と、扱室１４と、受網１２と、送塵弁１３と、を備えている。
【００４０】
扱胴１１は、穀稈を脱穀する。扱胴１１は、本実施形態では、籠型（バータイプ）に構成されている。扱胴１１は、回転軸１１ａと、前取付板１５及び後取付板１６と、螺旋１７と、三枚の仕切板１８と、六本のバー１９と、を備えている。
【００４１】
扱胴１１は、機体前後方向の回転軸１１ａを介して、扱室１４に回転可能に支持されている。扱室１４は、扱胴１１を有する。扱胴１１の回転軸１１ａの方向は、機体前後方向であり、扱胴１１の回転軸１１ａと直交する方向は、機体左右方向である。扱胴１１は、正面視において時計回り方向に回転するように構成されている。
【００４２】
前取付板１５は、回転軸１１ａの前端部に固定されている。後取付板１６は、回転軸１１ａの後端部に固定されている。前取付板１５及び後取付板１６は、いずれも正面視において略円形状に形成されている。螺旋１７は、前取付板１５の前面に設けられている。
【００４３】
仕切板１８は、回転軸１１ａにおける前取付板１５と後取付板１６との間に固定されている。具体的には、仕切板１８は、機体前後方向における回転軸１１ａを略四等分する位置に固定されている。仕切板１８は、正面視において略円形状に形成されている。仕切板１８の外周には、六つの嵌合凹部１８ａが略等角度間隔で形成されている。
【００４４】
バー１９は、仕切板１８の嵌合凹部１８ａに嵌め込まれている。バー１９は、取付部１９ｂを介して、前取付板１５、後取付板１６及び仕切板１８に固定されている。バー１９は、扱胴１１の径外方向に突出する多数の扱歯１９ａを備えている。
【００４５】
受網１２は、脱穀処理物を漏下選別する。受網１２は、扱胴１１の下方周囲を覆う正面視において略Ｕ字形状に形成されている。受網１２の左上端部側には、扱胴１１による脱穀処理物を受網１２の下方に案内する案内板１２ａが設けられている。
【００４６】
送塵弁１３は、脱穀処理物を扱室１４の穀稈出口側に案内する角度調節可能なものである。送塵弁１３は、扱胴１１の上部を覆う開閉可能な、脱穀部６の「天井部」としての天井カバー４８の内面に取り付けられている。天井カバー４８の右端部は、機体前後方向の揺動軸４８ａに揺動可能に支持されている。天井カバー４８の左端部は、固定具４９で固定可能に構成されている。これにより、天井カバー４８は、固定具４９の固定を解除することで、揺動軸４８ａを支点にして開閉可能となる。
【００４７】
図６に示すように、送塵弁１３は、機体前後方向に所定間隔をあけて設けられている。送塵弁１３は、本実施形態では、八つ設けられている。送塵弁１３は、上下方向の揺動軸１３ａを介して、天井カバー４８に揺動可能に支持されている。送塵弁１３は、連結ロッド１３ｂを介して連動可能に連結されている。また、脱穀部６の前部には、送塵弁１３の角度を調節するための角度調節操作部６０が設けられている。
【００４８】
図４に示すように、選別部５は、揺動選別装置２３と、主唐箕２４と、副唐箕２５と、二番唐箕２６と、一番回収部２７と、二番回収部２８と、を備えている。
【００４９】
揺動選別装置２３は、受網１２から漏下した脱穀処理物を後方に移送しながら揺動選別する。揺動選別装置２３は、シーブケース２９と、グレンパン３０と、前チャフシーブ３１と、ストローラック３２と、グレンシーブ３３と、後チャフシーブ３４と、を備えている。
【００５０】
シーブケース２９は、偏心カム式の揺動機構３５によって前後揺動するように構成されている。シーブケース２９の上部側には、前方から順にグレンパン３０、前チャフシーブ３１及びストローラック３２が設けられている。シーブケース２９の下部側には、前方から順にグレンシーブ３３及び後チャフシーブ３４が設けられている。
【００５１】
グレンパン３０は、シーブケース２９とともに前後揺動することで、受網１２からの脱穀処理物を比重差選別し、比重の小さい藁屑等の塵埃と比重の大きい穀粒とに上下に層分けしながら、後方の前チャフシーブ３１に移送するように構成されている。
【００５２】
前チャフシーブ３１は、機体前後方向に所定間隔をあけて整列された複数の前チャフリップ板３１ａを備えている。前チャフシーブ３１は、シーブケース２９とともに前後揺動することで、受網１２及びグレンパン３０からの脱穀処理物を篩い選別し、穀粒等を前チャフリップ板３１ａの間から漏下させながら、前チャフリップ板３１ａの間から漏下しなかった脱穀処理物を後方のストローラック３２に移送するように構成されている。
【００５３】
ストローラック３２は、機体左右方向に所定間隔をあけて整列された複数のラック板３２ａを備えている。ストローラック３２は、シーブケース２９とともに前後揺動することで、穀粒等をラック板３２ａの間から漏下させながら、ラック板３２ａの間から漏下しなかった藁屑等を後端部から落下させるように構成されている。
【００５４】
グレンシーブ３３は、シーブケース２９とともに前後揺動することで、前チャフシーブ３１からの穀粒等を篩い選別し、単粒化穀粒を一番物として漏下させながら、漏下しなかった枝梗付き穀粒等を二番物として藁屑等とともに後方の後チャフシーブ３４に移送するように構成されている。
【００５５】
後チャフシーブ３４は、機体前後方向に所定間隔をあけて整列された複数の後チャフリップ板３４ａを備えている。後チャフシーブ３４は、シーブケース２９とともに前後揺動することで、グレンシーブ３３からの枝梗付き穀粒等を篩い選別し、枝梗付き穀粒等を二番物として後チャフリップ板３４ａの間から漏下させながら、後チャフリップ板３４ａの間から漏下しなかった長い藁等を後方に搬送するように構成されている。
【００５６】
主唐箕２４は、脱穀処理物を選別するための選別風を揺動選別装置２３の下部に供給する。副唐箕２５は、脱穀処理物を選別するための選別風を揺動選別装置２３の上部に供給する。二番唐箕２６は、脱穀処理物を選別するための選別風を揺動選別装置２３の後部に供給する。
【００５７】
一番回収部２７は、揺動選別装置２３の前部側から漏下して選別風を受けながら落下する単粒化穀粒を一番物として回収する。二番回収部２８は、揺動選別装置２３の後部側から漏下して選別風を受けながら落下する枝梗付き穀粒等を二番物として回収する。
【００５８】
次に、角度調節操作部６０について、図１及び図２並びに図６から図９により説明する。
【００５９】
図１及び図２に示すように、角度調節操作部６０は、キャビン９内から開口部９１を介して操作可能に構成されている。角度調節操作部６０は、グレンタンク７の下方に配置されている。角度調節操作部６０は、機体左右方向において左方寄りに配置されている。角度調節操作部６０は、操作レバー６３を備えている。操作レバー６３は、脱穀部６とキャビン９との間に配置されている
【００６０】
図６から図９に示すように、角度調節操作部６０は、角度調節部材６１と、係止部６２と、操作レバー６３と、を備えている。
【００６１】
角度調節部材６１は、天井カバー４８の頂上面４８ｂに対して略平行に、略機体前後方向に延びる板状部材によって構成されている。角度調節部材６１の前端部は、天井カバー４８の前端面から前方に突出している。角度調節部材６１の前端部には、操作レバー６３が連結されている。角度調節部材６１の後端部は、送塵弁１３（前方から二つ目の送塵弁１３）の揺動軸１３ａに連結されている。角度調節部材６１には、係止部６２の凸部６２ｄと係合する係合開口部６１ａが形成されている。角度調節部材６１は、係合開口部６１ａが係止部６２の凸部６２ｄと係合することによって係止部６２に係止されるように構成されている。
【００６２】
係止部６２は、角度調節部材６１を係止する。係止部６２は、天井カバー４８の頂上面４８ｂに設けられている。係止部６２は、正面視において天井カバー４８の頂上面４８ｂより機体左右方向（左方）に突出するように設けられている。係止部６２の突出部分は、略Ｌ字状に形成された支持ステー６４を介して、天井カバー４８に支持されている。係止部６２は、ボルト６５によって天井カバー４８の頂上面４８ｂに固定されている。係止部６２は、ボルト６６によって支持ステー６４に固定されている。係止部６２は、側面視において略クランク状に形成された板状部材によって構成されている。係止部６２は、水平部６２ａと、後鉛直部６２ｂと、前鉛直部６２ｃと、を備えている。
【００６３】
水平部６２ａの前端縁は、平面視において略円弧状に形成されている。つまり、水平部６２ａの前端縁は、平面視において角度調節部材６１の揺動軌跡に沿う形状に形成されている。
【００６４】
後鉛直部６２ｂは、水平部６２ａの後端部から上方に突出する。後鉛直部６２ｂには、上方に突出する複数の凸部６２ｄが設けられている。凸部６２ｄは、本実施形態では、機体左右方向に所定間隔をあけて八つ設けられている。ただし、複数の凸部の数については、この実施形態に限定されるものではない。
【００６５】
前鉛直部６２ｃは、水平部６２ａの前端部から下方に突出する。前鉛直部６２ｃは、水平部６２ａにおける前端縁の略円弧形状に沿って設けられている。前鉛直部６２ｃには、機体左右方向に所定間隔をあけて複数のボルト孔６２ｅが形成されている。ボルト孔６２ｅは、本実施形態では、八つ形成されている。。ただし、複数のボルト孔の数については、この実施形態に限定されるものではない。
【００６６】
操作レバー６３は、角度調節部材６１に連結される上下方向のレバー本体６３ａと、グリップ部６３ｂと、を備えている。レバー本体６３ａの上端部は、角度調節部材６１の前端部に連結されている。レバー本体６３ａの下端部には、グリップ部６３ｂが設けられている。レバー本体６３ａには、係止部６２のボルト孔６２ｅに差し込まれるノブボルト６３ｃが設けられている。グリップ部６３ｂは、前方（キャビン９側）に突出するように設けられている。
【００６７】
これにより、操作レバー６３によって、角度調節部材６１が揺動軸１３ａを支点にして機体左右方向に揺動される。すると、角度調節部材６１に連結されている送塵弁１３が、揺動軸１３ａを支点にして機体前後方向に揺動される。これとともに、連結ロッド１３ｂを介して連動する他の送塵弁１３も、同様に揺動される。そして、角度調節部材６１の係合開口部６１ａを、係止部６２の凸部６２ｄに係合させる。これにより、角度調節部材６１が係止部６２に係止される。そして、ノブボルト６３ｃを係止部６２のボルト孔６２ｅに差し込む。これにより、角度調節部材６１が係止部６２に係止された状態で固定される。こうして、送塵弁１３の角度が角度調節操作部６０によって調節される。
【００６８】
以上のような構成により、本実施形態に係る普通型コンバインでは、作業者がキャビン９内に居たままで開口部９１から角度調節操作部６０を操作可能である。これにより、角度調節操作部６０の操作のために、作業者がキャビン９から降りる必要がない。したがって、角度調節操作部６０により送塵弁１３の角度を容易に調節することができる。
【産業上の利用可能性】
【００６９】
本発明は、脱穀部の前方にキャビンが備えられた普通型コンバインであって、脱穀部は、角度調節可能な送塵弁と、送塵弁の角度を調節するための角度調節操作部と、を備える普通型コンバインに利用可能である。
【符号の説明】
【００７０】
６  脱穀部
７  グレンタンク
９  キャビン
１０  運転席
１３  送塵弁
４８  天井カバー（天井部）
４８ｂ  頂上面
６０  角度調節操作部
６１  角度調節部材
６１ａ  係合開口部
６２  係止部
６２ｄ  凸部
６３  操作レバー
９０  後壁
９１  開口部
９１ａ  蓋部材
【図１】
2013183654.tif 000003
【図２】
2013183654.tif 000004
【図３】
2013183654.tif 000005
【図４】
2013183654.tif 000006
【図５】
2013183654.tif 000007
【図６】
2013183654.tif 000008
【図７】
2013183654.tif 000009
【図８】
2013183654.tif 000010
【図９】
2013183654.tif 000011